(57)【要約】  折りたたみ可能データカード組立品および方法を開示する。折りたたみ可能データカード組立品は、左部分（２０）、中央部分（３０）および右部分（４０）を備える基礎組立品（１０）を具備する。左部分または中央部分は開口（２５）を含む。開口がデータカード上の特別な番号にそろうように、データカードは基礎組立品内に封入される。安全性保護物はデータカード上の個人アカウント番号に接して置かれるが、安全性保護物は開口とカード上の特別な番号との間には置かれない。製造の間、特別な番号は開口を通してカードから読み取られ、特別な番号は起動情報を発生させるのに使用され、起動情報はパッケージ上に印刷される。起動情報は、ポイントオブセールにおいて読み取られ、起動情報に関係付けられたアカウントを起動するのに使用される。【選択図】      図１
2008529864.tif 000002
【特許請求の範囲】
【請求項１】
折りたたみ可能データカード組立品において、
データカードと、
厚紙、プラスチックまたは硬質な素材の折りたたみ可能部品を含み、左部分、中央部分および右部分をさらに含む基礎組立品と、
前記基礎組立品の左部分を前記基礎組立品の中央部分から分割する第１の折りたたみ線と、
前記基礎組立品の中央部分を前記基礎組立品の右部分から分ける第２の折りたたみ線と、
前記左部分または前記中央部分に位置する開口と
を具備する折りたたみ可能データカード組立品。
【請求項２】
前記第１の折りたたみ線および前記第２の折りたたみ線は、実質的に平行であり、
前記左部分は前記中央部分とほぼ等しいサイズであり、
前記右部分は前記中央部分よりも小さい、請求項１記載の折りたたみ可能データカード組立品。
【請求項３】
前記左部分および前記中央部分は、折りたたみ後に前記左部分の穴が前記右部分の穴にそろうように、前記左部分および前記右部分を分けている前記第１の折りたたみ線に関して左右対称に配置された穴をそれぞれ含み、前記穴は前記折りたたみデータカード組立品をフックに吊り下げるのに適合されており、
縦長の切れ込みが、前記基礎組立品の底部に位置し、前記第１の折りたたみ線にそろっており、前記第１の折りたたみ線に沿って折りたたんだ後、前記中央部分の底部の端に対して、前記左部分の底部の端がそろって折りたたまれるように適合されており、前記折りたたみ基礎組立品の底部部分が磁気ストライプリーダをスムーズに均等に通るようにさらに適合されており、
前記縦長の切れ込みは、磁気ストライプのほぼ１から３倍の幅であり、
前記左部分は前記折りたたみ基礎組立品の内部を人目にさらす切り取り部分を規定する２本の柔弱な線を含み、前記２本の柔弱な線は前記カードの長手寸法にほぼ並行であり、
２つの切れ込みが、前記ほぼ水平な柔弱な線が前記左部分の最も外側の辺に達するところに配置され、かつ、前記切り取り部分を切り取り始められることを支援するように適合されている、請求項２記載の折りたたみ可能データカード組立品。
【請求項４】
前記データカードは、前記カード上に印刷されまたは記憶されている個人アカウント番号（ＰＡＮ）を含み、
前記データカードは、前記ＰＡＮに関係付けられ、かつ、前記カード上に印刷されまたは記憶されている特別な番号を有する、請求項２記載の折りたたみ可能データカード組立品。
【請求項５】
前記特別な番号は、数字、または１組の文字、または任意の一意的な識別コードを含み、前記特別な番号は光学的に読み取り可能な形態で、磁気的に読み取り可能な形態で、または、電気的に読み取り可能な形態で前記カード上に含まれる、請求項４記載の折りたたみ可能データカード組立品。
【請求項６】
前記データカードは前記中央部分に接して配置され、
前記右部分は収容された位置にある前記データカード上に折りたたまれ、
前記左部分はカバーされた位置にある前記右部分上に折りたたまれ、
前記データカード上の前記特別な番号は前記基礎組立品上の前記開口にそろえられている、請求項４記載の折りたたみ可能データカード組立品。
【請求項７】
起動情報が前記折りたたみ組立品上に印刷されまたは記憶されている、請求項６記載の折りたたみ可能データカード組立品。
【請求項８】
前記基礎組立品上に配置されている前記起動情報のしるしをさらに備え、前記起動情報のしるしは、磁気ストライプ、バーコード、スマートチップおよびＲＦＩＤからなる組の中の少なくとも１つを含む、請求項７記載の折りたたみ可能データカード組立品。
【請求項９】
前記起動情報は封入されているデータカードに対する起動プロファイル記録を含み、
前記起動情報は個別の小売業者からの仕様にしたがってカスタマイズされている、請求項８記載の折りたたみ可能データカード組立品。
【請求項１０】
前記データカードのＰＡＮに接して配置され、前記データカードの特別な番号をカバーしないようにさらに配置され、前記データカードのＰＡＮが前記基礎組立品の外側から読み取り可能でないように適合されている、安全性保護物をさらに備える、請求項６記載の折りたたみ可能データカード組立品。
【請求項１１】
前記折りたたみ組立品の外側に配置された起動情報のしるしをさらに備え、前記起動情報のしるしは、磁気ストライプ、バーコード、スマートチップおよびＲＦＩＤからなる組の中の少なくとも１つを含む、請求項１０記載の折りたたみ可能データカード組立品。
【請求項１２】
折りたたみ可能データカード組立品を製造する方法において、
個人アカウント番号（ＰＡＮ）のしるしを含むデータカードを製造または購入することと、
前記ＰＡＮに関係付けられた、しかし、前記ＰＡＮに等しくない特別な番号を作成することと、
前記特別な番号を前記データカード上に印刷することと、
開口を通して前記特別な番号が見えるように適合されている前記開口を有するパッケージの内部に、前記データカードを包むまたは折りたたむことと、
前記特別な番号に関係付けられた起動情報を発生させることと、
前記起動情報を前記パッケージ上に印刷することと
を含む方法。
【請求項１３】
前記起動情報のしるしを前記パッケージ上に印刷することをさらに含み、前記起動情報のしるしは、磁気ストライプ、バーコード、スマートチップおよびＲＦＩＤからなる組の中の少なくとも１つを含む、請求項１２記載の方法。
【請求項１４】
特定の小売業者に関係付けられた、前記特別な番号と特定の情報とを使用して、前記起動情報を発生させることをさらに含む、請求項１２記載の方法。
【請求項１５】
スマートチップまたは他の電子的デバイスとして、前記起動情報を前記パッケージ上に印刷することをさらに含む、請求項１２記載の方法。
【請求項１６】
ポイントオブセールにおいて、前記起動情報を読み取ることと、
前記起動情報に関係付けられた前記アカウントを起動させることと
をさらに含む、請求項１２記載の方法。
【請求項１７】
前記個人アカウント番号（ＰＡＮ）のしるしが前記カードから突起しており、
方法は、前記データカードの突起しているしるしに接して安全性保護物を置くことをさらに含み、前記安全性保護物は、前記突起している番号がパッケージを変形させて読み取られやすくなることを防ぐように適合され、かつ、前記開口と前記特別な番号との間に配置されていない、請求項１２記載の方法。
【請求項１８】
前記安全性保護物は、折りたたみシートで構成され、
前記カードが位置に貼りこまれる前に、前記折りたたみシートは前記カードの正面に置かれており、
前記折りたたみシートは、グラフィックス、クーポンまたは取引条件を含む、請求項１７記載の方法。
【請求項１９】
折りたたみ可能データカード組立品において、
個人アカウント番号のしるしを含むデータカードと、
厚紙、プラスチックまたは硬質な素材の折りたたみ可能部品を含み、左部分、中央部分および右部分をさらに含む基礎組立品と、
前記基礎組立品の左部分を前記基礎組立品の中央部分から分ける第１の折りたたみ線と、
前記基礎組立品の中央部分を前記基礎組立品の右部分から分ける第２の折りたたみ線と、
前記左部分または前記中央部分に位置する開口または窓と、
前記個人アカウント番号に関係付けられ、前記データカード上に印刷されている特別な番号と、
前記データカードの個人アカウント番号に接して置かれた安全性保護物と
を具備し、
前記データカードは、前記基礎組立品内に配置され、かつ、前記基礎組立品に結合されており、前記データカードの一部が前記開口を通して見える、折りたたみ可能データカード組立品。
【請求項２０】
折りたたみ可能データカード組立品において、
厚紙、プラスチックまたは硬質な素材の折りたたみ可能部品を含み、左部分、中央部分および右部分をさらに含む基礎組立品と、
前記左部分を前記中央部分から分ける第１の折りたたみ線と、
前記中央部分を前記右部分から分ける第２の折りたたみ線と、
前記左部分または前記中央部分に配置された開口または窓と、
実質的に平行である、前記第１の折りたたみ線および前記第２の折りたたみ線と、
前記左部分は前記中央部分とほぼ等しいサイズであり、
前記右部分は前記中央部分よりも小さく、
前記左部分および前記中央部分は、前記第１の折りたたみ線に沿って完全に折りたたむ際に前記左部分の穴が前記右部分の穴にそろうように、前記左部分および前記右部分を分けている前記第１の折りたたみ線に関して左右対称に配置された穴をそれぞれ含み、前記穴は前記折りたたみデータカード組立品をフックに吊り下げるのに適合されており、
前記基礎組立品の底部に位置し、前記第１の折りたたみ線にそろっており、前記第１の折りたたみ線に沿って折りたたんだ後、前記中央部分の底部の端に対して、前記左部分の底部の端がそろって折りたたまれるように適合されており、前記折りたたみ基礎組立品の底部分が磁気ストライプリーダをスムーズに均等に通るようにさらに適合されている縦長の切れ込みと、
前記縦長の切れ込みは、磁気ストライプのおよそ１から３倍の幅であり、
前記左部分は、前記折りたたみ基礎組立品の内部を人目にさらす切り取り部分を規定する２本のほぼ水平な柔弱な線を含み、
前記ほぼ水平な柔弱な線が前記左部分の左の辺に達するところに配置され、かつ、前記切り取り部分を切り取り始められることを支援するように適合されている２つの水平な小さい切れ込みと、
前記ほぼ水平な柔弱な線は、ミシン目、スコーリングまたは薄削りを含み、
前記データカードの正面から突起している個人アカウント番号（ＰＡＮ）と、
前記データカードの表面または背面に印刷されている前記ＰＡＮに関係付けられた特別な番号と、
前記基礎組立品の開口を通して前記カード上の特別な番号が見えるように、前記データカードは前記折りたたみ可能基礎組立品内に配置され、
前記基礎組立品上に印刷されている前記特別な番号に関係付けられ、かつ、磁気ストライプ、バーコード、スマートチップおよびＲＦＩＤからなる組の中の少なくとも１つを含む、起動情報のしるしと、
前記基礎組立品上に配置され、かつ、前記データカードの浮き彫りのＰＡＮに接して配置された安全性保護物と
を具備する折りたたみ可能データカード組立品。
【請求項２１】
データカード組立品において、
複数のデータカードと、
厚紙、プラスチックまたは硬質な素材の部品を含む基礎組立品と、
前記基礎組立品中の１つ以上の開口と
を具備するデータカード組立品。
【請求項２２】
個人アカウント番号（ＰＡＮ）をそれぞれ含む前記複数のデータカードと、
前記ＰＡＮに関係付けられ、前記カード上に印刷されている特別な番号を有する少なくとも１つのデータカードと
をさらに具備し、
前記特別な番号は、数字、または１組の文字、または任意の一意的な識別コードを含み、
前記特別な番号は、光学的に読み取り可能な形態で、磁気的に読み取り可能な形態で、または、電気的に読み取り可能な形態で前記カード上に含まれる、請求項２１記載のデータカード組立品。
【請求項２３】
単一の開口を含む前記基礎組立品と、
前記基礎組立品の単一の開口を通して単一のカードの単一の特別な番号が読み取り可能なように、前記基礎組立品内に配置されている前記複数のデータカードと
をさらに具備し、
前記単一の特別な番号は前記複数のデータカードに関係付けられている、請求項２２記載のデータカード組立品。
【請求項２４】
前記基礎組立品上に印刷されている起動情報のしるしをさらに備え、前記起動情報のしるしは、磁気ストライプ、バーコード、スマートチップおよびＲＦＩＤからなる組の中の少なくとも１つを含む、請求項２３記載のデータカード組立品。
【請求項２５】
個人アカウント番号（ＰＡＮ）をそれぞれ含む前記複数のデータカードと、
別々の特別な番号をそれぞれ含む前記複数のデータカードと
をさらに具備し、
前記特別な番号は、数字、または１組の文字、または任意の一意的な識別コードをそれぞれ含み、
前記特別な番号は、光学的に読み取り可能な形態で、磁気的に読み取り可能な形態で、または、電気的に読み取り可能な形態で前記カード上にそれぞれ含まれる、請求項２１記載のデータカード組立品。
【請求項２６】
前記基礎組立品内の１つ以上の開口と、
前記１つ以上の開口を通して前記特別な番号が見えるように、前記基礎組立品内にそれぞれ配置された前記複数のデータカードと
をさらに具備する、請求項２５記載のデータカード組立品。
【請求項２７】
前記基礎組立品上に印刷されている起動情報のしるしをさらに備え、前記起動情報のしるしは、磁気ストライプ、バーコード、スマートチップおよびＲＦＩＤからなる組の中の少なくとも１つを含む、請求項２６記載のデータカード組立品。
【請求項２８】
データカード組立品を製造する方法において、
それぞれのデータカードが個人アカウント番号（ＰＡＮ）のしるしを含んでいる、複数のデータカードを製造または購入することと、
前記複数のデータカードの複数のＰＡＮに関係付けられた特別な番号を作成することと、
前記特別な番号は、数字、または１組の文字、または任意の一意的な識別コードを含み、
前記特別な番号は、光学的に読み取り可能な形態で、磁気的に読み取り可能な形態で、または、電気的に読み取り可能な形態で少なくとも１枚のカード上に含まれ、
開口を通して単一の特別な番号が見えるように適合されている単一の開口を有するパッケージの内部に、前記データカードを包むまたは折りたたむことと、
前記単一の特別な番号に関係付けられている、前記パッケージ中のすべてのカードに対して、起動情報を発生させることと、
磁気ストライプ、バーコード、スマートチップおよびＲＦＩＤからなる組の中の少なくとも１つを含む前記起動情報のしるしを前記パッケージ上に印刷することと
を含む方法。
【請求項２９】
ポイントオブセールにおいて、前記起動情報を読み取ることと、
前記起動情報に関係付けられたアカウントを起動させることと
をさらに含む、請求項２８記載の方法。
【請求項３０】
データカード組立品を製造する方法において、
それぞれのデータカードが個人アカウント番号（ＰＡＮ）のしるしを含んでいる、複数のデータカードを製造または購入することと、
前記複数のデータカードの複数のＰＡＮにそれぞれ関係付けられた複数の特別な番号を作成することと、
それぞれの特別な番号は、数字、または１組の文字、または任意の一意的な識別コードを含むことと、
前記それぞれの特別な番号は、光学的に読み取り可能な形態で、磁気的に読み取り可能な形態で、または、電気的に読み取り可能な形態で少なくとも１枚のカード上に含まれることと、
開口を通して複数の特別な番号が見えるように適合されている１つ以上の開口を有するパッケージの内部に、前記複数のデータカードを包むまたは折りたたむことと、
前記パッケージ中のすべてのカードに対して、起動情報を発生させることと、前記すべてのカードは前記複数の特別な番号に関係付けられており、
磁気ストライプ、バーコード、スマートチップおよびＲＦＩＤからなる組の中の少なくとも１つを含む前記起動情報のしるしを前記パッケージ上に印刷することと
を含む方法。
【請求項３１】
ポイントオブセールにおいて、前記起動情報を読み取ることと、
前記起動情報に関係付けられたアカウントを起動させることと
をさらに含む、請求項３０記載の方法。
【発明の詳細な説明】
【発明の背景】
【０００１】
ギフトカードおよび電話コーリングカードのようなデータカードにより、顧客は商品またはサービスに対して前払できるようになる。カードを使用して商品およびサービスが購入されるとき、データカードに関係付けられたアカウントはデビット（借り方記入）付けされる。
【０００２】
データカードは浮き彫りの、または、突起している番号を一般的に含み、これは、個人アカウント番号（ＰＡＮ）であり、カードに関係付けられたアカウントを識別する。データカードは、商業取引に対して必要とされるすべてのデータ、すなわち、ＰＡＮ、期限満了日付、時としてユーザの名前を含む、磁気ストライプをさらに一般的に含む。これらの磁気ストライプはほとんどの店舗において有用となるために、商業的標準にしたがわなければならない。
【０００３】
多くの場合、データカードは大型店舗陳列からの直接の購入に対して利用可能である。安全性のために、購入者が小売業者に支払ってカードを起動し、または、ある値をカードに関係付けるまで、データカードは活動停止されていてもよく、あるいは、それらに関係付けられた値を何も持たないかもしれない。窃盗を思いとどまらせるためのこれらの安全性機能にもかかわらず、数多くの犯罪者は、多くはそのパッケージからカードを取り出すことによって、データカードを依然として盗む。
【０００４】
さらに、犯罪者はパッケージを通して押し出ている浮き彫り番号をコピーすることにより情報を盗もうとするかもしれない。これらの浮き彫り（あるいはエッチングによる）番号をコピーすることは、データカードシステムの安全性措置の突破に対する事実上最初のステップである。顧客が購入して、カードを起動させるまで犯罪者は待機し、窃盗または詐欺を通して顧客から（個人識別番号のような）付加的な安全性情報を取得しようとする。
【０００５】
したがって、カードの窃盗を思いとどまらせるためにそのパッケージ内に隠ぺいされた、データカードを提供することが望ましい。
【０００６】
一般的に、製造の間に、個別の一意的なデータカードが個別の一意的なパッケージに物理的に一致される。例えば、クリュー氏らによる、米国特許第６，４３９，６１３号はこの一致を解説し、パッケージしている間に「別々に製造されたカードの誤った一致が無いこと」を確認する措置が発生することを開示している。例えば、米国特許第６，４３９，６１３号の４段、２行目を参照せよ。これらの特許の開示はここで参照により組み込まれている。
【発明の概要】
【０００７】
本発明の１つの実施形態は、カードパッケージを含み、特別な番号がデータカード上に書かれ、データカードは基礎組立品中に折りたたまれ、基礎組立品中の開口を通して特別な番号を見ることができる。特別な番号はカードの個人アカウント番号（ＰＡＮ）に関係付けられている。この関係付けは、ＰＡＮと同じデータベース中に記憶されている特別な番号を含んでいてもよい。特別な番号は起動情報を発生させるのに使用されてもよく、または、特別な番号は起動情報に関係付けられていてもよい。起動情報は、製造工程の間に、磁気ストライプまたはバーコードの形態でカードパッケージの外側に印刷されていてもよい。カードパッケージの内部に安全性保護物が配置されて、カードの突起しているＰＡＮが基礎組立品を通して押し出されることを防いでもよい。
【０００８】
起動情報は磁気ストライプ、バーコード、スマートチップ、ＳＩＭカード、または、他の任意のマーキング付け、しるし、もしくは、記憶システムとして、カードパッケージ上に表示されてもよく、記憶システムは、データカードを識別し、および／または、さもなければそれを他のデータカードから区別する情報を表現すること、または、提供することができる。起動情報はシリアル番号、ＵＰＣ、販売者識別番号、値、および、他の任意のタイプのカード識別可能情報を含んできてもよい。好ましくは、スミス氏らによる、米国特許第５，７７７，３０５号に説明された方法、または、グレーブ氏らによる、米国特許出願第０９／６４１，３６３号に説明された方法にしたがって、データカードを起動するのに起動情報が使用されてもよく、これらの両方はここで参照として組み込まれてもよい。
【０００９】
他の実施形態は、単一のパッケージ内に封入された複数のデータカードを含んでいてもよく、複数のデータカードは同時に起動されてもよい。
【実施形態の詳細な説明】
【００１０】
本発明にしたがったさまざまなカードパッケージはさまざまな利点を提供する。例えば、カードはパッケージ中に含まれてもよく、外側から見えなくてもよい。カードパッケージ自体が、カード番号に関係付けられた識別子のしるしを有していてもよい。カードパッケージのしるしはカード上のカード番号を一度も人目にさらすことなく、カードを起動させるのに使用されてもよい。したがって、犯罪者は、カード上に印刷され、エンボス加工されたカード番号を取得することができないかもしれない。いくつかの実施形態では、開口はカードの識別子のしるしのようなカードの一部を人目にさらしていてもよい。
【００１１】
いくつかの実施形態にしたがうと、カードおよびカードパッケージを製造する方法は、標準カードパッケージ中に一意的なデータカードを挿入することと、一意的なデータカードにパッケージが一意的に一致するように、パッケージを修正することとを含む。この製造方法の利点は、カードを間違ったパッケージへと誤って一致させる危険性がないことである。
【００１２】
いくつかの実施形態にしたがうと、データカードはカードの窃盗を思いとどまらせるため、そのパッケージ内に隠ぺいされている。いくつかの実施形態では、安全性保護物がパッケージ内に封入され、データカードの浮き彫りの番号がパッケージに押し出て、エッチングによるコピーを受け易くなることを防いでいる。
【００１３】
いくつかの実施形態にしたがうと、複数のデータカードが単一のパッケージ内に置かれている。例えば、それぞれ２０ドルの価値のある４つのカードが、単一の８０ドルのパッケージで同時に販売されてもよく、同時に起動されてもよい。同様に、単一の５０ドルのカードと３つの１０ドルのカードを、単一の８０ドルのパッケージで同時に販売することができ、同時に起動してもよい。
【００１４】
添付の特許請求の範囲に規定する本発明は、以下の図面を参照してよりよく理解することができる。図面は必ずしもスケーリングしておらず、代わりに本発明の原理を明確に図解することを重視している。図面を通して、同じ参照番号はいくつかの図を通して、対応している部分を示す。
【００１５】
図１は本発明の例示的な実施形態の折りたたみ可能基礎組立品１０を表す。基礎組立品１０は、例えば、厚紙またはプラスチックのような、比較的薄型かつ比較的硬質な、適切なパッケージ素材でできている。基礎組立品１０は、３つの主要な部分、すなわち、左部分２０と、中央部分３０と、右部分４０とを含んでいてもよい。
【００１６】
左部分２０は、開口２５、切れ込み５０、ミシン目５２および／または吊り下げ穴５３を含んでいてもよい。折りたたみ線５４は、右部分３０から左部分２０を分けてもよい。折りたたみ線５４は、ミシン目により、スコーリングにより、または、（例えば、薄削り、スクラッチ、または、切り込みのような）他の手段により、作られた柔弱な線を含んでいてもよい。開口２５はセロファンのような透明フィルムによってカバーされていてもよい。
【００１７】
中央部分３０は、吊り下げ穴５３および／または折りたたみ線５４を含んでいてもよい。最初の折りたたみ線５４は、中央部分３０から左部分２０を分けてもよい。いくつかの実施形態では、第２の折りたたみ線５４は、右部分４０から中央部分３０を分けてもよい。
【００１８】
右部分４０は、中央部分３０よりも比較的小さくてもよい（または、より大きい、または、等しいサイズであってもよい）。右部分４０は、例えば、折りたたみ線５４によって中央部分３０から分けられてもよい。
【００１９】
いくつかの実施形態では、基礎組立品１０はカードを封入するために折りたたまれていてもよい。カードは中央部分３０の表面に対して平面的に置かれていてもよい。例えば、カードはパッケージのおよそ中央に置かれてもよく、カードの長手は、柔弱な線５４に対して平行または垂直であってもよい。図１の上から下への視点に見られるように、右部分４０は柔弱な線５４に沿って上側方向へ、中央部分３０の正面へと（および、例えば、カードの上面へと）折りたたまれてもよい。中央部分３０の正面に渡って横たわるように左部分も柔弱な線５４に沿って上側方向へ、（および、例えば、折りたたまれた左部分に渡って横たわるように）折りたたまれてもよい。接着物および／またはタブあるいは他の折り目を使用して、折りたたまれた組立品１０にその折りたたまれた配置を保持させて、それによってカードを封入してもよい。次にカードはマーチャント店舗で陳列され、販売されてもよい。起動後および顧客への受け渡し後に、顧客はカードを出すためにミシン線５２を破ることによってカードパッケージを開いてもよい。
【００２０】
図２は本発明の例示的な実施形態での基礎組立品１０に配置されたデータカード６０を表示する。データカード６０が中央部分３０に配置されていることを示している。データカード６０は、（例えば、カード６０と中央部分３０との間の接着物のような）糊またはテープのような接着物あるいは他の結合メカニズムによって、組立品１０上のその位置に固定されてもよい。データカード６０は（例えば、電気通信サービスに関連して使用されるような）プリペイドカードのような当業者に知られている任意の取引カードを含んでいてもよい。データカードはバーコード、磁気ストライプ、または、よく知られた取引カードの他の任意の特徴を有していてもよい。
【００２１】
データカード６０は、厚紙またはプラスチックのような、比較的薄型かつ比較的硬質な素材からなっていてもよい。データカード６０は特別な番号６５を有していてもよい。特別な番号は任意の番号、コード、またはシンボルであってもよい。特別な番号６５はデータカードの個人アカウント番号（ＰＡＮ）に関係付けられていてもよい。いくつかの実施形態では、特別な番号６５はＰＡＮと同時に発生されてもよいが、ＰＡＮと同じ番号ではないかもしれない。特別な番号６５は９桁の番号であってもよく（または、英数字シンボルの何らかの他の番号を有していてもよく）、あるいは、何らかの光学的に認識可能なイメージであってもよい。例えば、特別な番号はＯＣＲ（光学文字認識）デバイスのような光学的リーダデバイスによって読み取られるように適合されていてもよい。特別な番号６５はデータカードの下部左に位置していてもよい。組立が完了した後、開口２５を通して特別な番号６５全体が見えるように、特別な番号６５は、開口２５よりもより小さいサイズであってもよい。
【００２２】
図３は本発明の例示的な実施形態の基礎組立品１０を示し、右部分４１の裏面が、収容された位置にあるデータカード６０の上に折りたたまれている。特別な番号６５はカバーされていない。（他の実施形態では、特別な番号６５はカバーされていてもよく、または、存在しなくてもよい。）
図４はデータカードをカバーする位置に折りたたまれた、基礎組立品１０の左部分２１の裏面を示す。開口２５を通して特別な番号６５を見ることができる。基礎組立品１０は、境界線に沿った接着物によって、境界線に沿ったステイプルによって、境界線に沿った熱処理によって、収縮包装されたセロファンによって、または、当業者に知られている数々の方法の何らかのものによって、この折りたたまれた位置に固定されてもよい。
【００２３】
図５は本発明の例示的な実施形態の、基礎組立品上のバーコード７０と磁気ストライプ７２とを示す。バーコード７０はバーコードであってもよく、または、情報を含んでいる何らかの光学的に読み取り可能なイメージであってもよい。磁気ストライプ７２が位置している場所における組立パッケージの全体の厚みは、ほとんどの商業的磁気ストライプリーダを通して読み取り可能であるように、２４ミリから３０ミリの間であってもよい。
【００２４】
バーコード７０および／または磁気ストライプ７２は、カードパッケージおよび／または（例えば、カードパッケージ内部のカードのような）カードを識別する情報、ならびに／あるいは、カードパッケージおよび／またはカードに関係付けられた情報を含んでいてもよい。例えば、スミス氏らによる米国特許第５，７７７，３０５号に説明されているように、そのような情報はポイントオブセールにおいてカードを起動するために使用されてもよい。そのような情報は、カード番号、特別な番号および／またはＰＡＮのような、関係するカードについてのその他の情報を記憶するデータベース記録中に記憶されてもよい。
【００２５】
図６は本発明の例示的実施形態での基礎組立品１０上に配置された安全性保護物８０を示す。安全性保護物８０は、接着物または他の方法により、中央部分３０にしっかりと固定されていてもよい。データカード６０は、データカードの（例えば、個人アカウント番号のような）突起している番号が安全性保護物８０に接するような方法で、安全性保護物８０の上面に配置されていてもよい。安全性保護物８０が数字を「カバーする」ように（例えば、エンボス加工されたカード番号のような）突起している数字に接して配置されているとき、このことは（例えば、エンボス加工された番号によって引き起こされるカードパッケージの表面の何らかの変形を見ることによって、または、カード上に記憶された何らかの磁気情報を検出することによって）、認可されていないユーザがカードパッケージを開けることなく、数字を決定しようとすることを防止する。したがって、安全性保護物は硬質な表面と暗い色の形状を含んでいてもよい。いくつかの実施形態では、認可されていないユーザが（例えばカードの磁気ストライプ中のような）カード上に記憶された電磁気の情報を決定することを防ぐ安全性保護物は、電気−磁気特性を有していてもよい。
【００２６】
いくつかの実施形態では、安全性保護物８０は少なくとも、突起している数字の領域と同じ大きさであってもよく、いくつかの実施形態では、安全性保護物８０はデータカード６０全体よりも大きくてもよい。安全性保護物８０は素材の単一の折りたたまれていないシート、素材の折りたたまれたシート、または、素材の複数のシートからなっていてもよい。安全性保護物８０はデータカードに関する印刷された取引条件を含んでいてもよい。
【００２７】
（示していない）代わりの実施形態では、安全性保護物８０は開口２５をカバーしないような方法で、左部分２０に配置され、固定されていてもよい。組立後に、突起している数字が安全性保護物に接しているように、データカード６０が配置されていてもよい。
【００２８】
（示していない）代わりの実施形態では、開口２５は左部分２０中の代わりに、中央部分３０中にあってもよい。組立後に、特別な番号６５と開口２５との位置が合うように、データカード６０が配置されていてもよい。安全性保護物８０はデータカードの突起している数に接するが、例えば、開口２５をブロックすることなく配置されていてもよい。
【００２９】
図７は本発明の例示的な実施形態での製造ステップを示す。ブロック１０２では、個人アカウント番号（ＰＡＮ）のしるしを含む、データカードが購入または製造される。ブロック１０４では、ＰＡＮに関係付けられた、しかし、ＰＡＮに等しくない特別な番号を作成する。ブロック１０６では、データカード上に特別な番号を印刷する。ブロック１０８では、開口を通して特別な番号が見えるように適合されている開口を有するパッケージの内部にデータカードを包むまたは折りたたむ。ブロック１１０では、特別な番号に関係付けられた起動情報を発生させる。ブロック１１２では、パッケージ上に起動情報を印刷する。
【００３０】
本発明の他の製造の実施形態は、ブロック中で述べた動作のいくつか、すべてを含んでいてもよく、または、どれも含んでいなくてもよく、動作は他の順序で発生してもよいことに留意すべきである。例えば、パッケージを包む、または、折りたたむ前に、安全性保護物がＰＡＮに接して挿入または付着されていてもよい。特に、カードがパッケージ中の位置に貼りこまれる前に、折りたたまれた安全性用紙のような安全性保護物がカードの正面に置かれてもよい。
【００３１】
図８は本発明の例示的な実施形態での、２つの開口を有する基礎組立品に配置された２つのデータカードを示す。図１で前に示した基礎組立品１０が、複数のデータカードを封入するために、かなり修正されていることに留意すべきである。特に、左部分２０はここでは２つの開口、すなわち、第１の開口２５ａと第２の開口２５ｂとを有している。第１の開口２５ａは、折りたたみ後に第１のデータカード６０ａの特別な番号６５ａと位置が合うように配置されている。第２の開口２５ｂは、折りたたみ後に第２のデータカード６０ｂの特別な番号６５ｂと位置が合うように配置されている。基礎組立品１０の切り込み、ミシン目、および、右部分４０は、（図１に示した基礎組立品１０と比較して）２つのデータカードを収容するために、わずかに修正されていることに留意すべきである。２つの開口エリアがあるが、このことは必須ではなく、１つの開口でもなし得る。カードをパッケージ内に挿入する前に、光学的にカードを読み取ることができる。示したパッケージはパッケージのタイプの単に例示的なものにすぎず、ボックス、スリーブまたは他のタイプのコンテナの形状であってもよい。鍵となるのは、小売ＰＯＳシステムにおける１回のスキャンが、パッケージ内に含まれるすべてのカードを起動することである。
【００３２】
（示していない）代わりの実施形態では、図８に示した基礎組立品は横方向に引き伸ばされてもよく、図８に示した縦型式で隣接して置かれるのではなく、横型式でお互いに隣接して置かれる２つのデータカード６０ａおよび６０ｂを収容してもよい。
【００３３】
（示していない）代わりの実施形態では、基礎組立品の中央部分に開口を配置することにより、さらなるカードが収容されてもよい。例えば、図８では、（示していない）第３のカードの特別な番号が下方に向けられ、中央部分３０の（示していない）第３の開口を通して見ることができるように、第３のカードがカード６０ａの下に接して、直接置かれていてもよい。同様に、第４のカードの特別な番号を、中央部分３０の（示していない）第４の開口を通して見ることができるように、（示していない）第４のカードがカード６０ｂの下に接して、直接置かれていてもよい。
【００３４】
したがって、（左部分に２つの開口、中央部分に２つの開口の）４つの開口を有するが、図１に示した基礎組立品と同じ最大寸法を備える合計４つのカードを基礎組立品の内部に容易に収容することができる。カードの特別な番号のすべては、それらのそれぞれの開口を通して見ることができてもよい。代わりに、単一の開口から読み取り可能な単一の特別な番号が、すべての４つのカードに関係付けられていてもよい。
【００３５】
パッケージするプロセスの間に、複数の特別な番号が読み取られてもよく、１つ以上のバーコードまたは磁気ストライプ、あるいは、読み取り可能データセットを発生させ、パッケージ上に印刷させるのに複数の特別な番号が使用されてもよい。売買の間に、前記１つ以上のバーコードまたは磁気ストライプ、あるいは、読み取り可能データセットが読み取られてもよく、パッケージ内に含まれる複数のカードを起動するのに使用されてもよい。
【００３６】
図９は本発明の例示的な実施形態における、横型にオーバーラップしている位置にある２つのデータカードを示す。すべての特別な番号が見えたままであるように、２つ以上のデータカードは横型にオーバーラップしている位置に置かれていてもよい。
【００３７】
図１０は本発明の例示的な実施形態における、縦型にオーバーラップしている位置にある２つのデータカードを示す。すべての特別な番号が見えたままであるように、２つ以上のデータカードは縦型にオーバーラップしている位置に置かれていてもよい。
【００３８】
（示していない）代わりの実施形態では、唯一の特別な番号が１つの開口を通して見ることができるように、複数のデータカードが、トランプひと組（a deck of cards）のように積み上げられていてもよい。この実施形態では、前記唯一の見ることができる特別な番号が、見ることができない特別な番号に関係付けられる。見ることができる特別な番号は、パッケージ上に１つ以上のバーコードまたは磁気ストライプ、あるいは、読み取り可能データセットを発生させるのに使用される。売買の間に、前記１つ以上のバーコードまたは磁気ストライプ、あるいは、読み取り可能データセットが読み取られてもよく、パッケージ内に含まれる複数のカードを起動するのに使用されてもよい。
【００３９】
（示していない）代わりの実施形態では、複数のデータカードが、細長く方向付けられて、そして、少なくとも１つの特別な番号が見えるように、アコーディオンまたは市街地図のような交互式に折りたたまれていてもよい。この実施形態では、前記少なくとも１つの見ることができる特別な番号は、見ることができない特別な番号に関係付けられる。少なくとも１つの見ることができる特別な番号は、パッケージ上に１つ以上のバーコードまたは磁気ストライプ、あるいは、読み取り可能データセットを発生させるのに使用されてもよい。売買の間、前記１つ以上のバーコードまたは磁気ストライプ、あるいは、読み取り可能データセットが読み取られてもよく、パッケージ内に含まれる複数のカードを起動させるのに使用されてもよい。
【００４０】
本発明はここで説明した特定の例示的な実施形態により範囲を制限されるものではない。実際、ここで説明したこれらのものに加えて、本発明のさまざまな修正が、これまでの説明および添付の図面から、当業者に明らかになるだろう。したがって、そのような修正は添付の特許請求の範囲内に収まることが企図されている。したがって、添付の特許請求の範囲はここで開示する本発明の全体の範囲と精神を考慮して解釈すべきである。
【図面の簡単な説明】
【００４１】
【図１】図１は、本発明の例示的な実施形態の折りたたみ可能基礎組立品を示す。
【図２】図２は、本発明の例示的な実施形態の基礎組立品上に適切に配置されたデータカードを示す。
【図３】図３は、本発明の例示的な実施形態の収容された位置にあるデータカード上に折りたたまれた基礎組立品の右部分を示す。
【図４】図４は、本発明の例示的な実施形態のカバーされている位置にあるデータカード上に折りたたまれた基礎組立品の左部分を示す。
【図５】図５は、本発明の例示的な実施形態の基礎組立品上のバーコードと磁気ストライプとを示す。
【図６】図６は、本発明の例示的な実施形態の基礎組立品に適切に配置された安全性保護物を示す。
【図７】図７は、本発明の例示的な実施形態の製造ステップを示す。
【図８】図８は、本発明の例示的な実施形態の２つの開口を有する基礎組立品中に配置された２つのデータカードを示す。
【図９】図９は、本発明の例示的な実施形態の横型にオーバーラップしている位置にある２つのデータカードを示す。
【図１０】図１０は、本発明の例示的な実施形態の縦型にオーバーラップしている位置にある２つのデータカードを示す。
【図１】
2008529864.tif 000003
【図２】
2008529864.tif 000004
【図３】
2008529864.tif 000005
【図４】
2008529864.tif 000006
【図５】
2008529864.tif 000007
【図６】
2008529864.tif 000008
【図７】
2008529864.tif 000009
【図８】
2008529864.tif 000010
【図９】
2008529864.tif 000011
【図１０】
2008529864.tif 000012
【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
折りたたみ可能データカード組立品において、
データカードと、
厚紙、プラスチックまたは硬質な素材の折りたたみ可能部品を含む基礎組立品と
を具備し、
前記基礎組立品は、
左部分と、
中央部分と、
右部分と、
前記基礎組立品の左部分を前記基礎組立品の中央部分から分ける第１の折りたたみ線と、
前記基礎組立品の中央部分を前記基礎組立品の右部分から分ける第２の折りたたみ線と、
前記左部分または前記中央部分に位置する開口と
を備える折りたたみ可能データカード組立品。
【請求項２】
前記第１の折りたたみ線および前記第２の折りたたみ線は、実質的に平行であり、
前記左部分は前記中央部分とほぼ等しいサイズであり、
前記右部分は前記中央部分よりも小さい、請求項１記載の折りたたみ可能データカード組立品。
【請求項３】
前記左部分および前記中央部分は、折りたたみ後に前記左部分の穴が前記中央部分の穴にそろうように、前記左部分および前記中央部分を分けている前記第１の折りたたみ線に関して左右対称に配置された穴をそれぞれ含み、前記穴は前記折りたたみデータカード組立品をフックに吊り下げるのに適合されており、
前記左部分および前記中央部分は、前記基礎組立品の底部に位置し、前記第１の折りたたみ線にそろっており、前記第１の折りたたみ線に沿って折りたたんだ後、前記中央部分の底部の端に対して、前記左部分の底部の端がそろって折りたたまれるように適合されており、前記折りたたみ基礎組立品の底部部分が磁気ストライプリーダをスムーズに均等に通るようにさらに適合されている縦長の切れ込みをそれぞれさらに含み、
前記縦長の切れ込みは、磁気ストライプのほぼ１から３倍の幅であり、
前記左部分は前記折りたたみ基礎組立品の内部を人目にさらす切り取り部分を規定する２本の柔弱な線を含み、前記２本の柔弱な線は前記カードの長手寸法にほぼ並行であり、
前記左部分は、前記ほぼ水平な柔弱な線が前記左部分の最も外側の辺に達するところに配置され、かつ、前記切り取り部分を切り取り始められることを支援するように適合されている２つの切れ込みをさらに含む、請求項２記載の折りたたみ可能データカード組立品。
【請求項４】
前記データカードは、前記カード上に印刷されまたは記憶されている個人アカウント番号（ＰＡＮ）を含み、
前記データカードは、前記ＰＡＮに関係付けられ、かつ、前記カード上に印刷されまたは記憶されている特別な番号を有する、請求項２記載の折りたたみ可能データカード組立品。
【請求項５】
前記特別な番号は、数字、または１組の文字、または任意の一意的な識別コードを含み、前記特別な番号は光学的に読み取り可能な形態で、磁気的に読み取り可能な形態で、または、電気的に読み取り可能な形態で前記カード上に含まれる、請求項４記載の折りたたみ可能データカード組立品。
【請求項６】
前記データカードは前記中央部分に接して配置され、
前記右部分は収容された位置にある前記データカード上に折りたたまれ、
前記左部分は折りたたまれた位置にある前記右部分上に折りたたまれ、
前記データカード上の前記特別な番号は前記基礎組立品上の前記開口にそろえられている、請求項４記載の折りたたみ可能データカード組立品。
【請求項７】
起動情報が前記折りたたみ組立品上に印刷されまたは記憶されている、請求項６記載の折りたたみ可能データカード組立品。
【請求項８】
前記基礎組立品上に配置されている前記起動情報のしるしをさらに備え、前記起動情報のしるしは、磁気ストライプ、バーコード、スマートチップおよびＲＦＩＤからなる組の中の少なくとも１つを含む、請求項７記載の折りたたみ可能データカード組立品。
【請求項９】
前記起動情報は封入されているデータカードに対する起動プロファイル記録を含み、
前記起動情報は個別の小売業者からの仕様にしたがってカスタマイズされている、請求項８記載の折りたたみ可能データカード組立品。
【請求項１０】
前記データカードのＰＡＮに接して配置され、前記データカードの特別な番号をカバーしないようにさらに配置され、前記データカードのＰＡＮが前記基礎組立品の外側から読み取り可能でないように適合されている、安全性保護物をさらに備える、請求項６記載の折りたたみ可能データカード組立品。
【請求項１１】
前記折りたたみ組立品の外側に配置された起動情報のしるしをさらに備え、前記起動情報のしるしは、磁気ストライプ、バーコード、スマートチップおよびＲＦＩＤからなる組の中の少なくとも１つを含む、請求項１０記載の折りたたみ可能データカード組立品。
【請求項１２】
折りたたみ可能データカード組立品を製造する方法において、
個人アカウント番号（ＰＡＮ）のしるしを含むデータカードを製造または購入することと、
前記ＰＡＮに関係付けられた、しかし、前記ＰＡＮに等しくない特別な番号を作成することと、
前記特別な番号を前記データカード上に印刷することと、
開口を通して前記特別な番号が見えるように適合されている前記開口を有するパッケージの内部に、前記データカードを包むまたは折りたたむことと、
前記特別な番号に関係付けられた起動情報を発生させることと、
前記起動情報を前記パッケージ上に印刷することと
を含む方法。
【請求項１３】
前記起動情報のしるしを前記パッケージ上に印刷することをさらに含み、前記起動情報のしるしは、磁気ストライプ、バーコード、スマートチップおよびＲＦＩＤからなる組の中の少なくとも１つを含む、請求項１２記載の方法。
【請求項１４】
特定の小売業者に関係付けられた、前記特別な番号と特定の情報とを使用して、前記起動情報を発生させることをさらに含む、請求項１２記載の方法。
【請求項１５】
スマートチップまたは他の電子的デバイスとして、前記起動情報を前記パッケージ上に印刷することをさらに含む、請求項１２記載の方法。
【請求項１６】
ポイントオブセールにおいて、前記起動情報を読み取ることと、
前記起動情報に関係付けられた前記アカウントを起動させることと
をさらに含む、請求項１２記載の方法。
【請求項１７】
前記個人アカウント番号（ＰＡＮ）のしるしが前記カードから突起しており、
方法は、前記データカードの突起しているしるしに接して安全性保護物を置くことをさらに含み、前記安全性保護物は、前記突起している番号がパッケージを変形させて読み取られやすくなることを防ぐように適合され、かつ、前記開口と前記特別な番号との間に配置されていない、請求項１２記載の方法。
【請求項１８】
前記安全性保護物は、折りたたみシートで構成され、
前記カードが位置に貼りこまれる前に、前記折りたたみシートは前記カードの正面に置かれており、
前記折りたたみシートは、グラフィックス、クーポンまたは取引条件を含む、請求項１７記載の方法。
【請求項１９】
折りたたみ可能データカード組立品において、
個人アカウント番号のしるしを含むデータカードと、
厚紙、プラスチックまたは硬質な素材の折りたたみ可能部品を含む基礎組立品と
を具備し、
前記基礎組立品は、
左部分と、
中央部分と、
右部分と、
前記基礎組立品の左部分を前記基礎組立品の中央部分から分ける第１の折りたたみ線と、
前記基礎組立品の中央部分を前記基礎組立品の右部分から分ける第２の折りたたみ線と、
前記左部分または前記中央部分に位置する開口または窓と、
前記個人アカウント番号に関係付けられ、前記データカード上に印刷されている特別な番号と、
前記データカードの個人アカウント番号に接して置かれた安全性保護物と
を備え、
前記データカードは、前記基礎組立品内に配置され、かつ、前記基礎組立品に結合されており、前記データカードの一部が前記開口を通して見える、折りたたみ可能データカード組立品。
【請求項２０】
折りたたみ可能データカード組立品において、
厚紙、プラスチックまたは硬質な素材の折りたたみ可能部品を含む基礎組立品と、
前記基礎組立品の開口を通して前記カード上の特別な番号が見えるように、前記基礎組立品内に配置されたデータカードと
を具備し、
前記基礎組立品は、
左部分と、
中央部分と、
右部分と、
前記左部分を前記中央部分から分ける第１の折りたたみ線と、
前記中央部分を前記右部分から分ける第２の折りたたみ線と、
前記左部分または前記中央部分に配置された開口または窓と、
前記データカードの正面から突起している個人アカウント番号（ＰＡＮ）と、
前記データカードの表面または背面に印刷されている前記ＰＡＮに関係付けられた特別な番号と、
前記特別な番号に関係付けられ、前記基礎組立品上に印刷されており、磁気ストライプ、バーコード、スマートチップおよびＲＦＩＤからなる組の中の少なくとも１つを含む、起動情報のしるしと、
前記基礎組立品上に配置され、かつ、前記データカードの浮き彫りのＰＡＮに接して配置された安全性保護物と
をさらに備え、
前記第１の折りたたみ線および前記第２の折りたたみ線は実質的に平行であり、
前記左部分は前記中央部分とほぼ等しいサイズであり、
前記右部分は前記中央部分よりも小さく、
前記左部分および前記中央部分は、前記第１の折りたたみ線に沿って完全に折りたたむ際に前記左部分の穴が前記中央部分の穴にそろうように、前記左部分および前記中央部分を分けている前記第１の折りたたみ線に関して左右対称に配置された穴をそれぞれ含み、前記穴は前記折りたたみデータカード組立品をフックに吊り下げるのに適合されており、
前記左部分および前記中央部分は、前記基礎組立品の底部に位置し、前記第１の折りたたみ線にそろっており、前記第１の折りたたみ線に沿って折りたたんだ後、前記中央部分の底部の端に対して、前記左部分の底部の端がそろって折りたたまれるように適合されており、前記折りたたみ基礎組立品の底部分が磁気ストライプリーダをスムーズに均等に通るようにさらに適合されている縦長の切れ込みをそれぞれさらに含み、
前記縦長の切れ込みは、磁気ストライプのおよそ１から３倍の幅であり、
前記左部分は、前記折りたたみ基礎組立品の内部を人目にさらす切り取り部分を規定する２本のほぼ水平な柔弱な線を含み、
前記左部分は、前記ほぼ水平な柔弱な線が前記左部分の左の辺に達するところに配置され、かつ、前記切り取り部分を切り取り始められることを支援するように適合されている２つの水平な小さい切れ込みをさらに含み、
前記ほぼ水平な柔弱な線は、ミシン目、スコーリングまたは薄削りを含む、
折りたたみ可能データカード組立品。
【請求項２１】
データカード組立品において、
複数のデータカードと、
厚紙、プラスチックまたは硬質な素材の部品を含む基礎組立品と
を具備し、
前記基礎組立品は、１つ以上の開口を備える
データカード組立品。
【請求項２２】
前記複数のデータカードは、個人アカウント番号（ＰＡＮ）をそれぞれ含み、
少なくとも１つのデータカードは、前記ＰＡＮに関係付けられ、前記カード上に印刷されている特別な番号を有し、
前記特別な番号は、数字、または１組の文字、または任意の一意的な識別コードを含み、
前記特別な番号は、光学的に読み取り可能な形態で、磁気的に読み取り可能な形態で、または、電気的に読み取り可能な形態で前記カード上に含まれる、請求項２１記載のデータカード組立品。
【請求項２３】
単一の開口を含む前記基礎組立品と、
前記基礎組立品の単一の開口を通して単一のカードの単一の特別な番号が読み取り可能なように、前記基礎組立品内に配置されている前記複数のデータカードと
をさらに具備し、
前記単一の特別な番号は前記複数のデータカードに関係付けられている、請求項２２記載のデータカード組立品。
【請求項２４】
前記基礎組立品上に印刷されている起動情報のしるしをさらに備え、前記起動情報のしるしは、磁気ストライプ、バーコード、スマートチップおよびＲＦＩＤからなる組の中の少なくとも１つを含む、請求項２３記載のデータカード組立品。
【請求項２５】
前記複数のデータカードは、個人アカウント番号（ＰＡＮ）をそれぞれ含み、
前記複数のデータカードは、別々の特別な番号をそれぞれ含み、
前記特別な番号は、数字、または１組の文字、または任意の一意的な識別コードをそれぞれ含み、
前記特別な番号は、光学的に読み取り可能な形態で、磁気的に読み取り可能な形態で、または、電気的に読み取り可能な形態で前記カード上にそれぞれ含まれる、請求項２１記載のデータカード組立品。
【請求項２６】
前記基礎組立品内の１つ以上の開口
をさらに具備し、
前記複数のデータカードは、前記１つ以上の開口を通して前記特別な番号が見えるように、前記基礎組立品内にそれぞれ配置されている、
請求項２５記載のデータカード組立品。
【請求項２７】
前記基礎組立品上に印刷されている起動情報のしるしをさらに備え、前記起動情報のしるしは、磁気ストライプ、バーコード、スマートチップおよびＲＦＩＤからなる組の中の少なくとも１つを含む、請求項２６記載のデータカード組立品。
【請求項２８】
データカード組立品を製造する方法において、
それぞれのデータカードが個人アカウント番号（ＰＡＮ）のしるしを含んでいる、複数のデータカードを製造または購入することと、
前記複数のデータカードの複数のＰＡＮに関係付けられた特別な番号を作成することと、
前記特別な番号は、数字、または１組の文字、または任意の一意的な識別コードを含み、
前記特別な番号は、光学的に読み取り可能な形態で、磁気的に読み取り可能な形態で、または、電気的に読み取り可能な形態で少なくとも１枚のカード上に含まれ、
開口を通して単一の特別な番号が見えるように適合されている単一の開口を有するパッケージの内部に、前記データカードを包むまたは折りたたむことと、
前記単一の特別な番号に関係付けられている、前記パッケージ中のすべてのカードに対して、起動情報を発生させることと、
磁気ストライプ、バーコード、スマートチップおよびＲＦＩＤからなる組の中の少なくとも１つを含む前記起動情報のしるしを前記パッケージ上に印刷することと
を含む方法。
【請求項２９】
ポイントオブセールにおいて、前記起動情報を読み取ることと、
前記起動情報に関係付けられたアカウントを起動させることと
をさらに含む、請求項２８記載の方法。
【請求項３０】
データカード組立品を製造する方法において、
それぞれのデータカードが個人アカウント番号（ＰＡＮ）のしるしを含んでいる、複数のデータカードを製造または購入することと、
前記複数のデータカードの複数のＰＡＮにそれぞれ関係付けられた複数の特別な番号を作成することと、
それぞれの特別な番号は、数字、または１組の文字、または任意の一意的な識別コードを含むことと、
前記それぞれの特別な番号は、光学的に読み取り可能な形態で、磁気的に読み取り可能な形態で、または、電気的に読み取り可能な形態で少なくとも１枚のカード上に含まれることと、
開口を通して複数の特別な番号が見えるように適合されている１つ以上の開口を有するパッケージの内部に、前記複数のデータカードを包むまたは折りたたむことと、
前記パッケージ中のすべてのカードに対して、起動情報を発生させることと、前記すべてのカードは前記複数の特別な番号に関係付けられており、
磁気ストライプ、バーコード、スマートチップおよびＲＦＩＤからなる組の中の少なくとも１つを含む前記起動情報のしるしを前記パッケージ上に印刷することと
を含む方法。
【請求項３１】
ポイントオブセールにおいて、前記起動情報を読み取ることと、
前記起動情報に関係付けられたアカウントを起動させることと
をさらに含む、請求項３０記載の方法。
【国際調査報告】
2008529864.tif 000013
2008529864.tif 000014